(57)【特許請求の範囲】
【請求項１】
絶縁操作棒の先端に連結可能に取り付けられる連結部と、該連結部に直接又は間接的に取り付けられる支持棒であって、通電状態にある充電部を覆うように該充電部に掛けられた絶縁シートの充電部より下側の部位を該絶縁シートの厚み方向一方側から押さえるための支持棒とを備え、
前記支持棒は、前記絶縁シートの下端部を間接活線工具で把持して該絶縁シートの厚み方向一方側へ巻き上げるように持ち上げる際に、中心軸線が前記絶縁シートの表面に沿い、かつ、径方向で該絶縁シートを押さえることによって、前記絶縁シートの巻き上げの支点となるように、前記絶縁操作棒の先端に取り付けられた状態で前記絶縁操作棒の軸心に対して交差する方向に延出されていることを特徴とする絶縁シート押さえ部材。
【請求項２】
前記連結部は、前記支持棒の前記絶縁操作棒に対する取り付け角度が可変となるように、該絶縁操作棒に対する取り付け角度が変更自在に構成されていることを特徴とする請求項１に記載の絶縁シート押さえ部材。
【請求項３】
前記支持棒は、前記充電部に掛けられた絶縁シートの充電部より下側の部位を該絶縁シートの厚み方向両側から挟むことができる二股状に構成されていることを特徴とする請求項１又は２に記載の絶縁シート押さえ部材。
【請求項４】
通電状態にある充電部を覆うように、該充電部に掛けられた絶縁シートの充電部の下側の部位に、支持棒を前記絶縁シートの表面に沿って、かつ、径方向で当てた状態で、間接活線工具で下端部を把持した絶縁シートを、支持棒が巻き上げの支点となって巻き上げることを特徴とする充電部への絶縁シートの装着方法。
【発明の詳細な説明】
【技術分野】
【０００１】
本発明は、例えば電線や腕金等の通電状態にある充電部に絶縁シートを巻き上げる際に使用する絶縁シート押さえ部材及び充電部への絶縁シートの装着方法に関する。
【背景技術】
【０００２】
従来から、間接活線工具で間接活線作業を行う際に、間接活線工具の先端が電線や腕金等の充電部に直接接触することがないように、充電部を絶縁シートで被覆している。かかる絶縁シートとしては、クリップ付きの絶縁シートが既に提案されている（例えば、特許文献１参照）。
【０００３】
上記クリップ付きの絶縁シートは、上端が開口できるように下端に折り曲げ部を有する二つ折りにした絶縁シートと、この絶縁シートを閉じた状態に保持するための一対のクリップとを備えている。前記各クリップは、電線を絶縁シートの左右両側から挟むための開閉自在な一対の挟持部と、一対の挟持部を閉じ側に付勢する付勢部と、一対の挟持部から下方へ延出され間接活線工具の先端に備える一対の把持部で把持される一対の操作部とを備えている。そして、一対の操作部を間接活線工具の一対の把持部で把持した状態から一対の把持部を閉じることによって、一対の操作部が接近しかつ一対の挟持部が離間することで、絶縁シートの上端を開口して絶縁シート内に充電部である電線を位置させることができる。この状態から間接活線工具の一対の把持部を一対の操作部から外すことによって、付勢部の付勢力により一対の挟持部が閉じられ、電線を絶縁シートで挟んだ状態に維持する。
【先行技術文献】
【特許文献】
【０００４】
【特許文献１】特開２０１４−１２１１６１号公報
【発明の概要】
【発明が解決しようとする課題】
【０００５】
上記構成によれば、電線を絶縁シートで挟んでいるだけであるため、電線を十分に覆うことができず、絶縁性が低下することがあった。また、間接活線工具の一対の把持部を一対の操作部に把持させる際に滑ってしまうことがあり、一対の操作部を接近、離間する作業がスムーズにできない。また、付勢部で一対の挟持部を閉じて電線を絶縁シートで挟んだ状態に維持することから、ある程度大きな付勢力にしておく必要がある。そのため、間接活線工具を用いて付勢部の付勢力に抗して絶縁シートを開口させる操作をする際に、大きな操作力が必要となり、労力を要するものであり、改善の余地があった。
【０００６】
そこで、本発明は、絶縁シートを充電部に巻き付けることによって絶縁性が低下することを抑制することができ、しかも、その巻き付け作業を容易迅速に行うことができる絶縁シート押さえ部材及び充電部への絶縁シートの装着方法を提供することを課題とする。
【課題を解決するための手段】
【０００７】
本発明に係る絶縁シート押さえ部材は、絶縁操作棒の先端に連結可能に取り付けられる連結部と、該連結部に直接又は間接的に取り付けられる支持棒であって、通電状態にある充電部を覆うように該充電部に掛けられた絶縁シートの充電部より下側の部位を該絶縁シートの厚み方向一方側から押さえるための支持棒とを備え、前記支持棒は、前記絶縁シートの下端部を間接活線工具で把持して該絶縁シートの厚み方向一方側へ巻き上げるように持ち上げる際に、中心軸線が前記絶縁シートの表面に沿い、かつ、径方向で該絶縁シートを押さえることによって、前記絶縁シートの巻き上げの支点となるように、前記絶縁操作棒の先端に取り付けられた状態で前記絶縁操作棒の軸心に対して交差する方向に延出されていることを特徴としている。
【０００８】
かかる構成によれば、絶縁操作棒の軸心に対して交差する方向に延びている支持棒で絶縁シートの充電部より下側の部位を絶縁シートの厚み方向一方側から押さえることによって、絶縁シートの下端部を間接活線工具で把持して絶縁シートの厚み方向一方側へ巻き上げるように持ち上げる際に、絶縁シートの充電部より下側の部位を支点として絶縁シートをスムーズかつ迅速に回転させることができる。これにより、絶縁シートを間接活線工具で直ちに把持して充電部に容易迅速に巻き付けることができる。しかも、絶縁シートを充電部に巻き付けることによって、絶縁性が低下することを抑制することができる。
【０００９】
また、本発明に係る絶縁シート押さえ部材は、前記連結部が、前記支持棒の前記絶縁操作棒に対する取り付け角度が可変となるように、該絶縁操作棒に対する取り付け角度が変更自在に構成されていてもよい。
【００１０】
上記のように、絶縁操作棒に対する支持棒の角度を自由に変更することができるので、絶縁シートに対する作業者の位置に拘わらず、絶縁シートに対する支持棒を所望の方向に向けることができる。また、絶縁操作棒に対して交差しない方向、つまり絶縁操作棒に沿う方向に支持棒を向けることもでき、例えば絶縁シート押さえ部材の運搬がし易い。
【００１１】
また、本発明に係る絶縁シート押さえ部材は、前記支持棒が、前記充電部に掛けられた絶縁シートの充電部より下側の部位を該絶縁シートの厚み方向両側から挟むことができる二股状に構成されていてもよい。
【００１２】
上記のように、支持棒が絶縁シートを絶縁シートの厚み方向両側から挟むことができる二股状に構成されていれば、間接活線工具を用いることなく、支持棒で絶縁シートを挟んだ状態で支持棒を移動させるだけで、絶縁シートを充電部に直接巻き付けることができ、作業性を高めることができる。
【００１３】
また、本発明に係る充電部への絶縁シートの装着方法は、通電状態にある充電部を覆うように、該充電部に掛けられた絶縁シートの充電部の下側の部位に、支持棒を前記絶縁シートの表面に沿って、かつ、径方向で当てた状態で、間接活線工具で下端部を把持した絶縁シートを、支持棒が巻き上げの支点となって巻き上げることを特徴としている。
【００１４】
上記のように、支持棒を絶縁シートの充電部より下側の部位に、絶縁シートの表面に沿って、かつ、径方向で当てることによって、絶縁シートの下端部を間接活線工具で把持して絶縁シートの厚み方向一方側へ巻き上げるように持ち上げる際に、絶縁シートの充電部より下側の部位を支点として絶縁シートをスムーズかつ迅速に回転させることができる。これにより、絶縁シートを間接活線工具で直ちに把持して充電部に容易迅速に巻き付けることができる。しかも、絶縁シートを充電部に巻き付けることによって、絶縁性が低下することを抑制することができる。
【発明の効果】
【００１５】
以上のように、本発明によれば、支持棒で絶縁シートを押さえることによって、絶縁シートを充電部に巻き付けることができるので、絶縁性が低下することを抑制することができ、しかも、その巻き付け作業を容易迅速に行うことができる絶縁シート押さえ部材及び充電部への絶縁シートの装着方法を提供することができる。
【図面の簡単な説明】
【００１６】
【図１】本発明の一実施形態に係る絶縁シート押さえ部材で絶縁シートを押さえている正面図を示している。
【図２】同絶縁シート押さえ部材の要部を示し、（ａ）は、側面図、（ｂ）は、正面図である。
【図３】同絶縁シート押さえ部材の分解正面図である。
【図４】（ａ），（ｂ），（ｃ）は絶縁シートを巻き付ける手順を示す説明図である。
【図５】絶縁操作棒に対する支持棒の角度を変更した絶縁シート押さえ部材で絶縁シートを押さえている正面図を示している。
【図６】二股状の支持棒で絶縁シートを挟み込んでいる斜視図である。
【図７】（ａ），（ｂ），（ｃ）は絶縁シートを二股状の絶縁シート押さえ部材で巻き付ける手順を示す説明図である。
【発明を実施するための形態】
【００１７】
本発明に係る絶縁シート押さえ部材を図面に基づいて説明する。図１に、絶縁シート１を絶縁シート押さえ部材２で押さえている状態を示し、この絶縁シート押さえ部材２の上端部を、図２（ａ），（ｂ）及び図３に示している。
【００１８】
絶縁シート押さえ部材２は、長尺な絶縁操作棒３と、絶縁操作棒３の先端に連結可能な連結部４と、連結部４に取り付けられる支持棒５とを備えている。
【００１９】
絶縁操作棒３は、ＦＲＰ等の絶縁材を用いて形成され、内部が中空の円筒状に構成された筒本体３Ａと、筒本体３Ａの中間部の２箇所に備えたゴム製（絶縁材）の鍔部３Ｂとを備えている。また、絶縁操作棒３は、共用操作棒ともいい、連結部４を他の連結部に取り替えることによって、別の機能を有する棒状部材に構成することができる。
【００２０】
また、絶縁操作棒３の先端部６には、連結部４が入り込んで重なり合うことができるように凹部６Ａ（図２（ａ）参照）が形成されている。
【００２１】
連結部４は、絶縁操作棒３の先端部６の凹部６Ａに入り込んで絶縁操作棒３の先端部６に連結される連結部本体４Ａと、この連結部本体４Ａの上方に延びるとともに支持棒５が取り付けられる取付部４Ｂとを備えている。連結部本体４Ａは、取付部４Ｂの厚みのほぼ半分の厚みに構成されており、連結部本体４Ａが凹部６Ａに入り込んだ状態において、絶縁操作棒３の外形から連結部本体４Ａが外側へ食み出すことがないようにしている。
【００２２】
支持棒５は、ＦＲＰ等の絶縁材を用いて形成され、外形が円形（角形又は多角形等でもよい）の棒状に形成されていて、連結部４の取付部４Ｂに形成の貫通孔４Ｋに貫通して接着剤（ビスでもよい）等により固定されている。そして、支持棒５の長手方向が、絶縁操作棒３の軸心３Ｘに対して交差（図では直交）する方向に設定されている。従って、支持棒５は、後述する腕金１８の延びる方向（長手方向）に略沿う状態、つまり腕金１８の長手方向と平行（略平行でもよい）な姿勢となって、絶縁シート１を径方向で押さえることができる。
【００２３】
連結部４と絶縁操作棒３の先端部６との間に菊座部７を備えている。この菊座部７は、連結部４の絶縁操作棒３の先端部６との合わせ面８に形成された多数の連結部側突起８Ａと、絶縁操作棒３の先端部６の連結部本体４Ａとの合わせ面９に形成された多数の絶縁操作棒側突起９Ａとから構成されている。
【００２４】
連結部側突起８Ａは、連結部本体４Ａの合わせ面８の外周縁に所定間隔を置いて多数形成されている。そして、各連結部側突起８Ａは、法線方向に延びるとともに絶縁操作棒３の先端部６側に突出している。
【００２５】
絶縁操作棒側突起９Ａは、周方向で隣り合う連結部側突起８Ａ，８Ａ間入り込んで噛み合うように絶縁操作棒３の先端部の外周縁に所定間隔を置いて多数形成されている。そして、各絶縁操作棒側突起９Ａは、連結部側突起８Ａと同様に、法線方向に延びるとともに絶縁操作棒３の先端部６側に突出している。
【００２６】
絶縁操作棒３の先端部６のほぼ中心部には、蝶螺子１０が螺合する螺子孔１１が形成される一方、連結部本体４Ａには、蝶螺子１０の螺子部１０Ａの挿入を許容する縦向き（上下方向）の切欠き４Ｈが形成されている。従って、蝶螺子１０を緩めることによって、絶縁操作棒３に対する連結部４の回転角度を変更することができ、支持棒５の絶縁操作棒３に対する取り付け角度を可変にすることができる。その変更後、再度蝶螺子１０を締め付けることによって、蝶螺子１０の頭部１０Ｂが連結部本体４Ａを先端部６に押圧することで、絶縁操作棒３の先端部６に対する連結部４のなす角度を変更にした状態で固定することができる。このように構成することによって、例えば、支持棒５の絶縁操作棒３に対する取り付け角度を図１に示す９０度（支持棒５を絶縁操作棒３の軸心３Ｘに対して直交する方向）から、図５に示すように、ほぼ１２０度（角度はこの角度に限定されることはない）へ変更することができる。このように構成することによって、絶縁シート１に対する作業者の位置に拘わらず、連結部４の絶縁操作棒３に対する取り付け角度を変更するだけで絶縁シート１に対する支持棒５の向きを所望の方向に向けることができる。尚、図５では、図１よりも絶縁シート１から作業者が図５の左側へ遠ざかっている状態であるため、絶縁操作棒３をほぼ１２０度としているが、逆に図５の右側に作業者が位置している場合には、絶縁操作棒３を例えばほぼ６０度とすることができる。また、絶縁操作棒３の軸心と支持棒５の中心軸線５Ｘが同一方向を向くように、操作棒３に対して支持棒５の向きを変更することもでき、その向きにしておけば、例えば絶縁シート押さえ部材２を運搬し易い。
【００２７】
間接活線工具１２は、一般的なものであるため、簡単に説明する。図１に示すように、間接活線工具１２は、その先端に開閉自在な金属製の一対の把持部１３，１４を備えている。これら把持部１３，１４のうちの一方の把持部１３が、固定ロッド１５の先端に取り付けられた固定側の把持部を構成している。他方の把持部１４の基端部が、固定ロッド１５の先端部に軸１７回りで揺動自在に取り付けられている。また、他方の把持部１４が、操作ロッド１６の先端に連結されるとともに図示していないスプリングにより開き側に常に付勢されている。従って、図示していない操作レバーを握ることにより操作ロッド１６が引っ張り操作される。これにより、他方の把持部１４が軸１７回りに揺動操作されて、一対の把持部１３，１４を閉じることができる。
【００２８】
上記のように構成された絶縁シート押さえ部材２を用いて絶縁シート１を充電部である腕金１８に巻き付ける手順（充電部（腕金１８）への絶縁シートの装着方法）を説明する。
【００２９】
まず、絶縁シート押さえ部材２、必要数の絶縁シート１、間接活線工具１２を、絶縁シート１を巻き付ける予定の腕金１８の近傍まで移動させる。この後、絶縁シート１を腕金１８に上方から掛けて腕金１８を絶縁シート１で挟んだ状態にする（図１参照）。絶縁シート１を腕金１８に上方から掛ける場合には、絶縁シートを二つ折り以上の折り目を付けて腕金１８に掛けるか、折り目を付けないで腕金１８を覆うように腕金１８に掛けてもよい。このように腕金１８に掛けられた絶縁シート１の腕金１８よりも下側の部位（腕金１８の直下方位置、図１に示す位置）を絶縁シート１の厚み方向一方側（図１では紙面側）から絶縁シート押さえ部材２の支持棒５で押さえる。このとき、支持棒５は、中心軸線５Ｘが絶縁シート１の表面に沿う向き、つまり、腕金１８の延びる方向と平行になっている（図１参照）。この状態で、腕金１８から下方へ垂れ下っている絶縁シート１の一対のシート部１Ａ，１Ａの下端部を図１及び図４（ａ）に示すように間接活線工具１２で把持する。把持した状態から絶縁シート１の厚み方向一方側へ巻き上げるように持ち上げる（図４（ｂ）参照）。このとき、絶縁シート１を押さえた腕金１８の近傍の部位を支点として絶縁シート１をスムーズかつ迅速に回転させることができる。これにより、絶縁シート１を間接活線工具１２で直ちに把持して腕金１８に容易迅速に巻き付けることができる。しかも、絶縁シート１を腕金１８に巻き付けることによって、絶縁性が低下することを抑制することができる。
【００３０】
絶縁シート１を腕金１８に巻き付けた後は、図４（ｃ）に示すように必要個数（図４（ｃ）では１個のみ図示）の開閉自在なクリップ１９で挟んで絶縁シート１を巻き付けた状態で保持することができるようにしている。クリップ１９に代えて、テープを巻き付けて絶縁シート１を巻き付けた状態に保持することもできる。尚、絶縁シート１が巻き付けられて絶縁シート１間に挟まれた支持棒５は、図４（ｂ）の状態からクリップ１９で巻き付けられた絶縁シート１を挟む前か、クリップ１９で巻き付けられた絶縁シート１を挟んだ後（図４（ｃ）の状態）のいずれかのタイミングで引き抜くことになる。クリップ１９は、一般的なものであり、図４（ｃ）に示すように、一対の挟持部材１９Ａ，１９Ａの長手方向略中央位置を支点部１９Ｋとし、支点部１９Ｋより一方側（図４（ｃ）では上方側）に挟持部１９ａ，１９ａを有し、他方側（図４（ｃ）では下方側）に把持部１９ｂ，１９ｂを有している。そして、これら一対の挟持部材１９Ａ，１９Ａの挟持部１９ａ，１９ａを開閉自在とし、挟持部１９ａ，１９ａが閉じる方向に付勢する弾性部材（図示せず）を備えている。従って、弾性部材により閉じられている挟持部１９ａ，１９ａが、弾性部材の付勢力に抗して把持部１９ｂ，１９ｂを手で接近側に操作することによって、開放状態に切り替えられる。この開放状態の挟持部１９ａ，１９ａ間に絶縁シート１を入り込ませて把持部１９ｂ，１９ｂから手を離すことによって、挟持部１９ａ，１９ａが弾性部材の付勢力により閉じて図４（ｃ）の状態になる。
【００３１】
なお、本発明に係る絶縁シート押さえ部材は、上記実施形態に限定されるものではなく、本発明の要旨を逸脱しない範囲内において、種々変更することができる。
【００３２】
例えば、一本の支持棒５を、図６に示すように構成することもできる。つまり、充電部である腕金１８に二つ折りにして掛けられた絶縁シート１を厚み方向両側から挟むことができる二股状に支持棒５を構成している。詳述すれば、支持棒５は、連結部４に差し込まれて固定される棒状部５Ａと、この棒状部５Ａから二股に分岐するほぼ平行な一対の挟持部５Ｂ，５Ｂとから構成されている。このように、絶縁シート１を二股状の支持棒５で挟むことができるので、図７（ａ）に示すように、絶縁シート１を二股状の支持棒５で挟んだ状態から、図７（ｂ）に示すように、支持棒５を上方へ移動させるだけで、絶縁シート１を腕金１８に直接巻き付ける（巻き上げる）ことができる。よって、間接活線工具を用いることなく、絶縁シート１を腕金１８に巻き付けることによって、作業性を高めることができるが、一本の支持棒５と同様に、二股状の支持棒５で絶縁シート１を挟み込んだ状態にし、間接活線工具１２で絶縁シート１の下端を把持して持ち上げることによって、絶縁シート１を腕金１８に巻き付けてもよい。尚、図７（ｂ）に示すように、絶縁シート１を腕金１８に巻き付けた後は、図４（ｃ）と同様に、クリップ１９で巻き付けられた絶縁シート１を挟んで固定する（図７（ｃ）参照）。クリップ１９は、図４（ｃ）のクリップと同一構成であるため、説明を省略する。
【００３３】
上記実施形態では、支持棒５が絶縁操作棒３に対して角度変更可能な可動式に絶縁シート押さえ部材２を構成したが、角度が変更できない固定式に構成してもよい。
【００３４】
また、上記実施形態では、連結部４に支持棒５を直接取り付けた構成であったが、他の部材を介して間接的に支持棒５を連結部４に取り付ける構成であってもよい。
【００３５】
また、上記実施形態では、充電部として腕金１８を例に挙げて説明したが、電線や碍子等を充電部としてもよい。
【００３６】
また、上記実施形態では、一対のシート部１Ａ，１Ａの下端が上下方向においてほぼ同じ高さになるように腕金１８に掛けて、それら両方のシート部１Ａ，１Ａを腕金１８に巻き付ける構成としたが、一方のシート部１Ａの下端が他方のシート部１Ａの下端よりも下方に大きく位置するようにシート部１Ａ，１Ａの長さを変えた状態で絶縁シート１を腕金１８に掛けておき、短い側のシート部１Ａを支持棒５で押さえて、長い方のシート部１Ａの下端のみを間接活線工具１２で把持して長い方のシート部１Ａを腕金１８に巻き付けるようにしてもよい。
【００３７】
また、上記実施形態では、絶縁操作棒３の先端部６が、絶縁操作棒３に一体的に取り付けられたものを示したが、例えば、先端部６が絶縁操作部３に対して着脱自在な構成を備えたものであってもよい。具体的には、先端部６を絶縁操作部３の先端に差し込んで回転させるだけで、先端部６を絶縁操作部３の先端に連結可能なツイストロック構造を設けて実施することができる。
【符号の説明】
【００３８】
１…絶縁シート、１Ａ…シート部、２…絶縁シート押さえ部材、３…絶縁操作棒、３Ａ…筒本体、３Ｂ…鍔部、３Ｘ…軸心、４…連結部、４Ａ…連結部本体、４Ｂ…取付部、４Ｋ…貫通孔、５…支持棒、５Ａ…棒状部、５Ｂ…挟持部、５Ｘ…中心軸線、６…先端部、６Ａ…凹部、７…菊座部、８…合わせ面、８Ａ…連結部側突起、９…合わせ面、９Ａ…絶縁操作棒側突起、１０…蝶螺子、１０Ａ…螺子部、１０Ｂ…頭部、１１…螺子孔、１２…間接活線工具、１３，１４…把持部、１５…固定ロッド、１６…操作ロッド、１７…軸、１８…腕金、１９…クリップ、１９Ａ，１９Ａ…挟持部材、１９Ｋ…支点部、１９ａ…挟持部、１９ｂ…把持部
【要約】
【課題】絶縁シートを充電部に巻き付けることによって絶縁性が低下することを抑制することができ、しかも、その巻き付け作業を容易迅速に行う。
【解決手段】絶縁操作棒３の先端に取り付けられる連結部４と、連結部４に取り付けられ充電部１８に掛けられた絶縁シート１の充電部１８より下側の部位を絶縁シート１の厚み方向一方側から押さえる支持棒５とを備え、支持棒５は、絶縁シートの下端部を間接活線工具で把持して絶縁シートの厚み方向一方側へ巻き上げるように持ち上げる際に、中心軸線５Ｘが絶縁シート１の表面に沿って径方向で絶縁シート１を押さえることによって、絶縁シート１の巻き上げの支点となるように、絶縁操作棒３の先端に取り付けられた状態で絶縁操作棒３の軸心３Ｘに対して交差する方向に延出されている。
【選択図】図１【図１】
0005903146.tif 000002
【図２】
0005903146.tif 000003
【図３】
0005903146.tif 000004
【図４】
0005903146.tif 000005
【図５】
0005903146.tif 000006
【図６】
0005903146.tif 000007
【図７】
0005903146.tif 000008